(57)【特許請求の範囲】
【請求項１】
中空四角柱状をなし、一面にパネルの端部が挿入されるスリットが形成され、前記スリットの対向する縁部は、それぞれ内側に折れ曲がっている胴縁を、前記スリット内に端部が挿入されたフェンス用パネルに固定するためのフェンス用胴縁金具において、一対の胴縁金具片からなり、前記一対の胴縁金具片の各々は、前記パネルの端部にあてがわれる、ボルト孔が形成された固定部と、前記胴縁の前記スリット側のコーナー部外面にあてがわれる外側爪部と、前記スリットの縁部に噛み込む内側爪部とからなり、前記一対の胴縁金具片により前記パネルの端部と前記胴縁とを挟み、前記固定部同士をボルト結合することによって、前記胴縁を前記パネルに固定することを特徴とするフェンス用胴縁金具。
【請求項２】
前記外側爪部は、直角に折れ曲がっていることを特徴とする、請求項１に記載のフェンス用胴縁金具。
【請求項３】
前記内側爪部は、Ｕ字状に折れ曲がっていることを特徴とする、請求項１または２に記載のフェンス用胴縁金具。
【請求項４】
前記外側爪部は、前記内側爪部の両側に形成されていることを特徴とする、請求項１から３の何れか１つに記載のフェンス用胴縁金具。
【請求項５】
前記ボルト孔は、縦長に形成されていることを特徴とする、請求項１から４の何れか１つに記載のフェンス用胴縁金具。
【発明の詳細な説明】
【技術分野】
【０００１】
この発明は、フェンス用胴縁金具、特に、目隠しフェンスにおける上下胴縁間の隙間をなくして目隠し効果をさらに向上させることができるフェンス用胴縁金具に関するものである。
【背景技術】
【０００２】
一般的な目隠しフェンスとして、例えば、ルーバー等の開口が形成された目隠しパネルを胴縁を介して支柱間に固定したものがある。このような目隠しフェンスにおいて、胴縁は、胴縁金具により目隠しパネルの端部に固定されている。以下、このフェンス用胴縁金具をフェンス用従来胴縁金具Ａといい、図面を参照しながら説明する。
【０００３】
図６は、フェンス用従来胴縁金具Ａを示す斜視図である。
【０００４】
図６に示すように、フェンス用従来胴縁金具Ａは、中空四角柱状の胴縁の外周面全周に巻き付けられる、胴縁と同形に形成された四角筒状の巻付け部５と、目隠しパネル（以下、単にパネルという。）の端部が挟み込まれ、ボルトにより固定される、ボルト孔６Ａが形成された固定部６とからなっている。
【０００５】
次に、フェンス用従来胴縁金具Ａによるパネルの端部への胴縁の固定方法を説明するが、その前にパネルと胴縁の構成について、図面を参照しながら説明する。
【０００６】
図７は、フェンス用従来胴縁金具Ａによるパネルの端部への胴縁の固定構造を示す部分切り欠き斜視図、図８は、図７の部分正面図である。
【０００７】
図７および図８において、７は、多数のルーバー７Ａが千鳥配列に形成されたパネルである。パネル７の端部には、パネル７の部分平面図である図９に示すように、半円弧状の前面側突出片８Ａと背面側突出片８Ｂとが間隔をあけて交互に形成されている。各突出片８Ａ、８Ｂは、パネル７の端部をプレス抜きすることによりパネル７の面から突出させて形成されている。前面側突出片８Ａは、パネル７の前面側に形成された突出片であり、背面側突出片８Ｂは、パネル７の背面側に形成された突出片である。前面側突出片８Ａと背面側突出片８Ｂとの頂部間の長さ（Ｌ１）（図９参照）は、後述する胴縁の内面間の長さ（Ｌ２）（図７参照）より若干長く形成され、これにより、後述するように、胴縁内でのパネル７のがたつきを防止している。
【０００８】
９は、パネル７の胴縁である。胴縁９は、中空四角柱状をなし、その一面に、パネル７の端部が挿入されるスリット９Ａが形成されている。スリット９Ａは、胴縁９の長手方向に亘って形成され、スリット９Ａの対向する縁部９Ｂは、それぞれ内側にＶ字状に折れ曲がっている。
【０００９】
なお、図７に示すように、胴縁９が下胴縁の場合には、スリット９Ａは、胴縁９の上面に形成されているが、上胴縁の場合には、スリット９Ａは、胴縁９の下面に形成されている。上胴縁と下胴縁とは同じものであり、上下を反転することによって、上胴縁と下胴縁の両方に使用することができる。フェンス用従来胴縁金具Ａも上下反転すれば、上胴縁と下胴縁の両方に使用することができる。
【００１０】
フェンス用従来胴縁金具Ａによりパネル７の端部に胴縁９を固定するには、先ず、胴縁９の一端をパネル７の一端にあてがい胴縁９をスライドさせて、パネル７の端部を胴縁９内に挿入する。この挿入作業は、各突出片８Ａ、８Ｂが半円形状に形成されているので、円滑に行える。しかも、上述したように、前面側突出片８Ａと背面側突出片８Ｂとの頂部間の長さ（Ｌ１）は、胴縁９の内面間の長さ（Ｌ２）より若干長く形成され、各突出片８Ａ、８Ｂは、ばね作用を有するので、各突出片８Ａ、８Ｂは、挿入後、胴縁９の内面に弾性力により密着し、各突出片８Ａ、８Ｂと胴縁９の内面との間に隙間は形成されない。この結果、胴縁９内でパネル７ががたつくおそれはない。
【００１１】
このようにして、パネル７の端部に胴縁９を取り付けたら、フェンス用従来胴縁金具Ａを胴縁９の端部から胴縁９の外側に嵌め込み、パネル７の端部が挟み込まれた固定部６同士をボルト１０により結合する。
【００１２】
このようにして、フェンス用従来胴縁金具Ａによりパネル７の端部に胴縁９を確実に固定することができる。
【発明の概要】
【発明が解決しようとする課題】
【００１３】
上述のように、フェンス用従来胴縁金具Ａによれば、パネル７の端部に胴縁９を確実に固定することができるが、以下のような問題があった。
【００１４】
図７および図８に示すように、目隠しフェンスの高さを高くするために、パネル７を上下に多段に連設する場合、上下の胴縁９間に隙間があいてしまう。すなわち、従来胴縁金具Ａの巻付け部５は、胴縁９の外周面全周に巻き付けられるので、パネル７を上下に連設した場合、巻付け部５の板厚の２倍の隙間（Ｗ）（図８参照）が上下の胴縁９間にあいてしまう。
【００１５】
このように上下の胴縁９間に隙間（Ｗ）があくということは、目隠し効果がその分、低下することになる。従って、上下の胴縁９間に隙間（Ｗ）があかないフェンス用胴縁金具の開発が強く望まれていた。
【００１６】
なお、目隠しフェンス以外の通常のフェンスにおいても、上下胴縁間に隙間があかなければ、優れた外観が得られる。
【００１７】
従って、この発明の目的は、フェンス用パネルを上下多段に連設する場合、上下胴縁間に隙間があかないフェンス用胴縁金具、特に、目隠しフェンスに適用した場合、目隠し効果をさらに向上させることができるフェンス用胴縁金具を提供することにある。
【課題を解決するための手段】
【００１８】
この発明は、上記目的を達成するためになされたものであり、下記を特徴とするものである。
【００１９】
[１]  中空四角柱状をなし、一面にパネルの端部が挿入されるスリットが形成され、前記スリットの対向する縁部は、それぞれ内側に折れ曲がっている胴縁を、前記スリット内に端部が挿入されたフェンス用パネルに固定するためのフェンス用胴縁金具において、一対の胴縁金具片からなり、前記一対の胴縁金具片の各々は、前記パネルの端部にあてがわれる、ボルト孔が形成された固定部と、前記胴縁の前記スリット側のコーナー部外面にあてがわれる外側爪部と、前記スリットの縁部に噛み込む内側爪部とからなり、前記一対の胴縁金具片により前記パネルの端部と前記胴縁とを挟み、前記固定部同士をボルト結合することによって、前記胴縁を前記パネルに固定することに特徴を有するものである。
【００２０】
[２]  [１]に記載のフェンス用胴縁金具において、前記外側爪部は、直角に折れ曲がっていることに特徴を有するものである。
【００２１】
[３]  [１]または[２]に記載のフェンス用胴縁金具において、前記内側爪部は、Ｕ字状に折れ曲がっていることに特徴を有するものである。
【００２２】
[４]  [１]から[３]の何れか１つに記載のフェンス用胴縁金具において、前記外側爪部は、前記内側爪部の両側に形成されていることに特徴を有するものである。
【００２３】
[５]  [１]から[４]の何れか１つに記載のフェンス用胴縁金具において、前記ボルト孔は、縦長に形成されていることに特徴を有するものである。
【発明の効果】
【００２４】
この発明によれば、従来胴縁金具Ａのように胴縁の外周面全周に巻き付けられる巻付け部を有していないので、フェンス用パネルを上下多段に連設する場合、上下胴縁間に隙間があかず、外観に優れる。特に、目隠しフェンスに適用した場合、目隠し効果をさらに向上させることができる。
【図面の簡単な説明】
【００２５】
【図１】この発明のフェンス用胴縁金具Ｂを示す一方向斜視図である。
【図２】この発明のフェンス用胴縁金具Ｂを示す他方向斜視図である。
【図３】この発明のフェンス用胴縁金具Ｂによるパネルの端部への胴縁の固定構造を示す部分切り欠き斜視図である。
【図４】この発明のフェンス用胴縁金具Ｂを使用した目隠しフェンスを示す部分正面図である。
【図５】図４の部分拡大正面図である。
【図６】フェンス用従来胴縁金具Ａを示す斜視図である。
【図７】フェンス用従来胴縁金具Ａによるパネルの端部への胴縁の固定構造を示す部分切り欠き斜視図である。
【図８】図７の部分正面図である。
【図９】パネル３の部分平面図である。
【発明を実施するための形態】
【００２６】
この発明のフェンス用胴縁金具Ｂの一実施態様を、図面を参照しながら説明する。
【００２７】
図１は、この発明のフェンス用胴縁金具Ｂを示す一方向斜視図、図２は、この発明のフェンス用胴縁金具Ｂを示す他方向斜視図、図３は、この発明のフェンス用胴縁金具Ｂによるパネルの端部への胴縁の固定構造を示す部分切り欠き斜視図、図４は、この発明のフェンス用胴縁金具Ｂを使用した目隠しフェンスを示す部分正面図、図５は、図４の部分拡大正面図である。
【００２８】
図１から図５に示すように、この発明のフェンス用胴縁金具Ｂは、一対の胴縁金具片１からなり、目隠しパネル（以下、単にパネルという。）７の端部に胴縁９を固定するものである。
【００２９】
パネル７は、上記フェンス用従来胴縁金具Ａの場合と同様である。すなわち、パネル７は、多数のルーバー７Ａが千鳥配列に形成され、パネル７の端部には、前面側突出片８Ａと背面側突出片８Ｂとが間隔をあけて交互に形成されているものである。
【００３０】
胴縁９は、上記フェンス用従来胴縁金具Ａの場合と同様である。すなわち、胴縁９は、中空四角柱状をなし、その一面に、パネル７の端部が挿入されるスリット９Ａが形成されている。スリット９Ａは、胴縁９の長手方向に亘って形成され、スリット９Ａの対向する縁部９Ｂは、それぞれ内側にＶ字状に折れ曲がっている。
【００３１】
図１および図２に示すように、一対の胴縁金具片１の各々は、パネル７の端部にあてがわれる、ボルト孔２Ａが形成された固定部２と、胴縁９のスリット９Ａ側の一方のコーナー部外面にあてがわれる一対の外側爪部３と、スリット９Ａの縁部９Ｂに噛み込む内側爪部４とからなっている。
【００３２】
外側爪部３は、固定部２の一部を鉤形に直角に折り曲げることによって形成されている。内側爪部４は、一対の外側爪部３の間に、固定部２の一部をＵ字状に折り曲げることによって形成されている。なお、固定部２のボルト孔２Ａを縦長に形成すれば、胴縁金具片１の位置調整が容易に行える。
【００３３】
この発明のフェンス用胴縁金具Ｂにより、スリット９Ａ内に端部が挿入されたパネル７に胴縁９を固定するには、図３に示すように、一対の胴縁金具片１によりパネル７の端部と胴縁９とを挟み、固定部２同士をボルト１０により結合する。
【００３４】
これによって、胴縁９は、スリット９Ａ側のコーナー部にあてがわれる外側爪部３と、胴縁９のスリット９Ａの縁部９Ｂに噛み込む内側爪部４とによって挟み込まれるので、胴縁９をパネル７の端部に確実に固定することができる。
【００３５】
しかも、この発明のフェンス用胴縁金具Ｂは、フェンス用従来胴縁金具Ａのように、胴縁９の外周面全周に巻き付けられる巻付け部を有していないので、フェンス用パネルを上下多段に連設する場合、図４および図５に示すように、上下胴縁９間に隙間があかない。この結果、目隠しフェンスの目隠し効果をさらに向上させることができる。
【００３６】
なお、この発明のフェンス用胴縁金具Ｂを目隠しフェンス以外の通常のフェンスに使用した場合にも上下胴縁間に隙間があかないので、優れた外観が得られる。
【符号の説明】
【００３７】
Ａ：フェンス用従来胴縁金具
Ｂ：この発明のフェンス用胴縁金具
１：胴縁金具片
２：固定部
２Ａ：ボルト孔
３：外側爪部
４：内側爪部
５：巻付け部
６：固定部
６Ａ：ボルト孔
７：目隠しパネル
７Ａ：ルーバー
８Ａ：前面側突出片
８Ｂ：背面側突出片
９：胴縁
９Ａ：スリット
９Ｂ：縁部
１０：ボルト
【図１】
0005567996.tif 000002
【図２】
0005567996.tif 000003
【図３】
0005567996.tif 000004
【図４】
0005567996.tif 000005
【図５】
0005567996.tif 000006
【図６】
0005567996.tif 000007
【図７】
0005567996.tif 000008
【図８】
0005567996.tif 000009
【図９】
0005567996.tif 000010